(57)【要約】【課題】取付孔の内周面を傷つけることなく取り付けることができる照明器具を提供する。【解決手段】磁石部３１を被取付部１１に設けられた取付孔１２の周縁に取付け、天井１１を挟んで磁石部３１に対向する位置に磁性体３３を取り付ける。このとき、磁石部３１に設けた突起部３２が取付孔１２に嵌まるので磁石部３１を容易に取付孔１２に取り付けることができる。これにより、照明器具１０の器具本体２０を、磁石部３１および磁性体３３を介して天井１１の取付孔１２に取り付けるので、取付孔１２の内周面を傷つけることなく取り付けることができる。【選択図】図１
2013110076.tif 000002
【特許請求の範囲】
【請求項１】
光源と、
前記光源を収容して被取付部の取付孔に取り付けられる器具本体と、を有し、
前記取付孔の周縁に取り付けられる磁石部と、
前記被取付部を挟んで前記磁石部に対向する位置に配置される磁性体と、
前記磁石部に設けられて前記取付孔に嵌まる突起部と、を有する照明器具。
【請求項２】
請求項１に記載の照明器具において、
前記磁石部が、
前記取付孔の径方向に沿って複数に分割されており、
装着状態で連続した円環を構成する照明器具。
【請求項３】
請求項１または請求項２に記載の照明器具において、
前記磁石部は前記被取付部の内側に配置され、
前記磁性体は前記器具本体の下端部に設けられる鍔部に取り付けられる照明器具。
【発明の詳細な説明】
【技術分野】
【０００１】
本発明は、天井等の被取付部に埋め込んで使用する埋込型の照明器具に関するものである。
【背景技術】
【０００２】
従来より、天井等の被取付部に埋め込んで使用される埋込型の照明器具が知られている（例えば、特許文献１参照）。
図５に示すように、特許文献１に記載の照明器具１００は、取付壁部としての天井に形成された丸型の取付穴に埋め込まれて設置されるものである。照明器具１００は、光源を収容する器具本体１０１を有しており、器具本体１０１の下端部にはフランジ部１０２を有する。フランジ部１０２の上面は天井の下面に当接し、フランジ部１０２は天井から露出する。
【０００３】
器具本体１０１は、下部に枠体１０３を有しており、枠体１０３の下側にフランジ部１０２を有する。枠体１０３の外周面には、照明器具１００を天井等に固定するための取付ばね１０４が設けられている。
取付ばね１０４は、枠体１０３から下方に向かって延び、フランジ部１０２の上面に当接した後上方へ延びており、取付ばね１０４とフランジ部１０２との間に，天井部材を挟持することにより、照明器具１００を固定する。
なお、フランジ部１０２の外縁部上面には、照明器具１００の中心に向かって上方へ傾斜する引掛部１０５を設け、取り外し時にフランジ部１０２の外縁部を保持するきっかけとなる間隙をフランジ部１０２と天井面との間に設けた。
これにより、照明器具１００を天井面から容易に取り外しできるようにしている。
【先行技術文献】
【特許文献】
【０００４】
【特許文献１】特開２００９−２５２６０４号公報（第１図）
【発明の概要】
【発明が解決しようとする課題】
【０００５】
しかしながら、前述したような従来の照明器具においては、取付ばね１０４とフランジ部１０２との間に，天井部材を挟持することにより、照明器具１００を固定しているため、天井部材の角部や取付孔の内周面を傷つける虞があるという問題があった。
【０００６】
本発明は、従来の問題を解決するためになされたもので、取付孔の内周面を傷つけることなく取り付けることができる照明器具を提供することを目的とする。
【課題を解決するための手段】
【０００７】
本発明の照明器具は、光源と、前記光源を収容して被取付部の取付孔に取り付けられる器具本体と、を有し、前記取付孔の周縁に取り付けられる磁石部と、前記被取付部を挟んで前記磁石部に対向する位置に配置される磁性体と、前記磁石部に設けられて前記取付孔に嵌まる突起部と、を有するものである。
【０００８】
また、本発明の照明器具は、前記磁石部が、前記取付孔の径方向に沿って複数に分割されており、装着状態で連続した円環を構成するものである。
【０００９】
さらに、本発明の照明器具は、前記磁石部は前記被取付部の内側に配置され、前記磁性体は前記器具本体の下端部に設けられる鍔部に取り付けられるものである。
【発明の効果】
【００１０】
本発明は、照明器具の器具本体を、磁石部および磁性体を介して被取付部の取付孔に取り付けるので、取付孔の内周面を傷つけることなく取り付けることができるという効果を有する照明器具を提供できる。
【図面の簡単な説明】
【００１１】
【図１】本発明に係る実施形態の照明器具の側面図
【図２】（Ａ）取付金具の斜視図であり、（Ｂ）は取付金具を取付孔に取り付けた状態の断面図
【図３】照明器具を取付孔に取り付ける工程図であり、（Ａ）は最初の分割取付金具を取付孔に挿入する状態を示す断面図であり、（Ｂ）は２個目以降の分割取付金具を取付孔に挿入する状態を示す断面図であり、（Ｃ）は取付金具が取付孔に取り付けられた状態を示す断面図および平面図であり、（Ｄ）は照明器具を取付孔に取り付けた状態を示す断面図
【図４】照明器具を取り外す状態を示す断面図
【図５】従来の埋込型照明器具の断面図
【発明を実施するための形態】
【００１２】
以下、本発明に係る実施形態の照明器具について、図面を用いて説明する。
図１に示すように、本発明に係る実施形態の照明器具１０は、被取付部である天井１１に設けられた取付孔１２に取り付けて主に下方を照明するダウンライトを採用することができる。
【００１３】
照明器具１０は、内部に光源（図示省略）を収容する箱状の器具本体２０を有し、器具本体２０の下部には枠体２１を有する。枠体２１の下端には、円形リング状の鍔部２２を有しており、鍔部２２は天井１１から露出する。枠体２１の外側面には、器具本体２０を天井１１に取り付けるために外側へ突出する取付ばね２３が，周方向に所定間隔で複数個設けられている。
鍔部２２には、鉄等の磁性体３３が取り付けられる。磁性体３３は、所定の大きさのものを所定の間隔で配置することができる。また、リング状の磁性体３３を一体成形により用いることもできる。あるいは、鍔部２２を磁性体で形成することもできる。
【００１４】
図１および図２（Ｂ）に示すように、天井１１の上面１１１における取付孔１２の内周縁に沿って、取付金具３０が取り付けられる。
図２（Ａ）および（Ｂ）に示すように、取付金具３０は、磁石部３１と突起部３２とから断面Ｌ字形状に形成されている。磁石部３１は円環状の板部材であり、下面には磁石３１１が取り付けられる。
【００１５】
突起部３２は取付孔１２の内周面１２１に接し、磁石部３１は磁石３１１が天井１１の上面（周縁）１１１に接する。すなわち、突起部３２は、取付孔１２の内径と略等しい大きさの外径を有する円筒形状の部材であり、内側に内部空間３４（図３（Ｃ）参照）を有する。
また、突起部３２の高さは、下端面３２１が天井１１の下面１１２から下方に突出しないように設定する。
【００１６】
従って、図２（Ｂ）に示すように、磁石部３１の磁石３１１は、天井１１を挟んで、鍔部２２の磁性体３３に対向することになる。
なお、取付金具３０は、径方向に沿って複数（例えば、４分割）に分割されており（分割取付金具３０Ａ）、組み合わせた状態で磁石部３１は円環状となり、突起部３２は円筒形状となって内部空間３４が形成される。図３（Ｃ）に示すように、照明器具１０は、内部空間３４に取り付けられる。
【００１７】
次に、照明器具１０を取付孔１２に取り付ける手順について説明する。
まず、取付金具３０を取付孔１２に取り付ける。図３（Ａ）に示すように、分割取付金具３０Ａの磁石部３１の外側端部３１２を、取付孔１２の下方から挿入する。
次いで、図３（Ｂ）に示すように、２個目以降の分割取付金具３０Ａを同様にして取付孔１２の下方から挿入する。
図３（Ｃ）に示すように、全ての分割取付金具３０Ａを取付孔１２に挿入した後に、取付孔１２の内周面１２１に沿って並べると、磁石部３１は円板状となり、突起部３２は円筒形状となる。
【００１８】
最後に、図３（Ｄ）に示すように、照明器具１０を、従来と同様な工程で突起部３２の内部空間３４に取り付ける。これにより、照明器具１０は、例えば、取付ばね２３と鍔部２２との協働で、取付金具３０の内部空間３４に取り付けられる。
なお、照明器具１０を天井１１から取り外す際には、図４に示すように、鍔部２２を下方へ引き下げて、従来と同様にして取り外すことができる。
【００１９】
以上、説明した本発明に係る実施形態の照明器具１０によれば、磁石部３１を天井１１に設けられた取付孔１２の周縁に取り付け、天井１１を挟んで磁石部３１に対向する位置に磁性体３３を取り付ける。
このとき、磁石部３１に設けた突起部３２が取付孔１２に嵌まるので磁石部３１を容易に取付孔１２に取り付けることができる。
これにより、照明器具１０の器具本体２０を、磁石部３１および磁性体３３を介して天井１１の取付孔１２に取り付けるので、取付孔１２の内周面１２１を傷つけることなく照明器具１０を取り付けることができる。
【００２０】
また、磁石部３１が、取付孔１２の径方向に沿って複数に分割されているので、磁石部３１を容易に取付孔１２に挿入することができる。
また、磁石部３１は、装着状態で連続した円環を構成するので、磁石部３１を取付孔１２に挿入した後は，取付孔１２の全周にわたって磁石部３１を取り付けることができ、取付孔１２の周縁（上面１１１）を全周にわたって保護できる。
【００２１】
さらに、磁石部３１は天井１１の内側に配置され、磁性体３３は天井１１を挟んで器具本体２０の下端部に設けられる鍔部２２に配置されるので、磁石部３１および磁性体３３は、磁力により互いに吸着される。
これにより、天井１１を挟んで、磁石部３１および磁性体３３を取り付けることができる。
【００２２】
なお、本発明の照明器具１０は、前述した実施形態に限定されるものでなく、適宜な変形，改良等が可能である。
例えば、前述した実施形態において、照明器具１０を、取付ばね２３と鍔部２２との間に天井１１を挟持することにより取り付ける場合について説明した。このほか、取付金具３０の磁石３１１と磁性体３３との吸着力が十分に大きい場合には、例えば、取付ばね２３のような別部材を設けることなく、磁石３１１と磁性体３３の吸着力により照明器具１０を天井１１に取り付けることも可能である。
【符号の説明】
【００２３】
１０  照明器具
１１  天井（被取付部）
１１１  上面（周縁）
１２  取付孔
２０  器具本体
２２  鍔部
３１  磁石部
３２  突起部
３３  磁性体
【図１】
2013110076.tif 000003
【図２】
2013110076.tif 000004
【図３】
2013110076.tif 000005
【図４】
2013110076.tif 000006
【図５】
2013110076.tif 000007